(57)【要約】【課題】  シャンプーの詰め替え容器などに使われている軟質の袋状容器を、吊り下げた状態で保持しておくことができる注出口付きパウチ専用保持スタンドを提供する。【解決手段】  可撓性を有する軟質の袋状容器本体２の口部に硬質樹脂からなる引掛部５が設けられた容器１を吊り下げ保持する。一本の鋼製の線材を屈曲及び湾曲形成して構成してある。土台の機能を有する底部１１と、当該底部１１の両側からそれぞれ上方へ延出する一対の支柱１２，１３と、これら一対の支柱１２，１３の各上端から連続する頭部１４とを含み、当該頭部１４の中央部分に容器１の引掛部５を掛止するための掛止凹部１５を形成してある。【選択図】      図３
2008056335.tif 000002
【特許請求の範囲】
【請求項１】
可撓性を有する軟質のパウチと称する袋状容器本体の口部に硬質樹脂からなる注口が設けられ、且つ当該注出口に引掛部が形成された容器を保持対象とする注出口付きパウチ専用保持スタンドであって、
一本の鋼製の線材を屈曲及び湾曲形成してなり、土台の機能を有する底部と、当該底部の両側からそれぞれ上方へ延出する一対の支柱と、これら一対の支柱の各上端から連続する頭部とを含み、当該頭部の中央部分に前記容器の引掛部を掛止するための掛止凹部を形成したことを特徴とする注出口付きパウチ専用保持スタンド。
【請求項２】
前記支柱は、保持対象となる容器の前記引掛部から底縁までの高さ寸法よりも大きな高さ寸法を有し、
一方の支柱が前記容器の正面側に配置されるとともに、他方の支柱が前記容器の背面側に配置され、これら一対の支柱の中間部で前記容器を保持する構成であることを特徴とする請求項１の注出口付きパウチ専用保持スタンド。
【請求項３】
前記線材の両端を前記底部に配置するとともに、当該底部にある線材を嵌め込んで固定するベースプレートを備えたことを特徴とする請求項１又は２の注出口付きパウチ専用保持スタンド。
【発明の詳細な説明】
【技術分野】
【０００１】
この発明は、シャンプーの詰め替え容器などに使われている軟質の袋状容器を、吊り下げた状態で保持しておくことができる注出口付きパウチ専用保持スタンドに関する。
【背景技術】
【０００２】
従来、シャンプー、トリートメント、コンディショナー、ボディソープなどの製品にあっては、環境保護の観点から、硬質のボトル式容器に入った製品の他に、軟質の袋状容器（パウチ）に入った詰め替え用の製品が用意され、袋状容器からボトル式容器へ詰め替えて使用されることがある（例えば、特許文献１を参照）。
しかし、この種の形態のものは、詰め替え作業が煩雑で、しかも詰め替え時に内容物を溢してしまうことがあり、価格以外の点で必ずしもユーザに支持されているとは言い難い。      
【０００３】
そこで、近年、詰め替え用の袋状容器に、硬質樹脂からなるキャップを付けて、当該キャップから内容物を取り出せる構成としたものや、さらに当該キャップに押圧式のポンプを装着できる構成のものが開発されている。この種の袋状容器であれば、いちいちボトル式容器へ内容物を詰め替える必要がなく、袋状容器のままで使用することができる利点がある。
【０００４】
ところが、袋状容器は軟質な材料で製作されており、腰がないため、ボトル式容器のごとく一定の姿勢で直立させておくことができない。シャンプー、トリートメント、コンディショナー、ボディソープなどの製品は、従来、ボトル式の容器に収容されて、縦置きに配置されていたので、浴室や洗面台まわりの配置スペースも縦置きに適した寸法形態に設計されていることが多い。よって、腰のない軟質の袋状容器は、既存の配置スペースにうまく収まらないという問題があった。しかも、使用に際しては、少なくとも片方の手のひらには内容物を貯めてある状態で、いちいちキャップを閉める煩雑な操作が必要となるため使い勝手がよくない。また、キャップに押圧式のポンプを装着した場合にあっても、一方の手で袋状容器を保持して、もう一方の手でポンプを操作しなければならず、取り出した内容物を手のひらに貯めておきにくい。
【特許文献１】特開２００４−１６１２９３号公報
【発明の開示】
【発明が解決しようとする課題】
【０００５】
本発明は、このような従来技術の問題点を解決するためになされたもので、シャンプーの詰め替え容器などに使われている軟質の袋状容器を、吊り下げた状態で保持しておくことができる注出口付きパウチ専用保持スタンドの提供を目的とする。
【課題を解決するための手段】
【０００６】
上記目的を達成するために、本発明は、可撓性を有する軟質のパウチと称する袋状容器本体の口部に硬質樹脂からなる注口が設けられ、且つ当該注出口に引掛部が形成された容器を保持対象とする注出口付きパウチ専用保持スタンドであって、
一本の鋼製の線材を屈曲及び湾曲形成してなり、土台の機能を有する底部と、当該底部の両側からそれぞれ上方へ延出する一対の支柱と、これら一対の支柱の各上端から連続する頭部とを含み、当該頭部の中央部分に容器の引掛部を掛止するための掛止凹部を形成したことを特徴とする。
【０００７】
ここで、支柱は、保持対象となる容器の引掛部から底縁までの高さ寸法よりも大きな高さ寸法に設定することが好ましく、さらに、一方の支柱が容器の正面側に配置されるとともに、他方の支柱が容器の背面側に配置され、これら一対の支柱の中間部で容器を保持する構成とすることが好ましい。
【０００８】
このように構成することで、容器の引掛部を掛止凹部へ掛止するだけで、袋状の容器を吊した状態で保持することができる。これにより、従来のボトル式容器と同様に縦配置しておくことができる。
【０００９】
口部に押圧式のポンプが装着できる容器であっても、本発明の注出口付きパウチ専用保持スタンドに吊した状態で保持しておけば、従来のボトル式容器と同様に片手でポンプを押圧操作するだけで内容物を取り出すことができる。
【００１０】
しかも、一本の鋼製の線材を屈曲形成して構成されているので、ゴミ等の付着も少なく、仮にゴミ等が付着しても簡単に洗浄でき衛生的である。
【発明の効果】
【００１１】
以上説明したように、本発明によれば、シャンプーの詰め替え容器などに使われている軟質の袋状容器を、吊り下げた状態で保持しておくことができる。
【発明を実施するための最良の形態】
【００１２】
以下、この発明の実施の形態について図面を参照して詳細に説明する。
〔第１実施形態〕
図面１乃至４は、本発明の第１実施形態に係る注出口付きパウチ専用保持スタンドを示しており、図１は斜視図、図２は右側面図、図３は使用状態を示す斜視図、図４は使用状態を示す右側面図である。
【００１３】
まず、図３及び図４を参照して、保持対象となる容器の概要を説明する。
容器１は、パウチと称する袋状の容器本体２の上端中央部が口部となっており、この口部に硬質樹脂からなる円筒状の注出口３が装着されている。この注出口３には、中間位置よりも上方に螺子部（図示せず）が形成してあり、この螺子部にキャップ４が着脱自在に装着されている。また、注出口３には、中間位置よりも下方に、一対のフランジで挟まれた溝からなる引掛部５が形成されている。
容器本体２の内部には、シャンプー、トリートメント、コンディショナー、ボディソープなどの液状製品が封入されている。
注出口３には、販売時に装着してあるキャップ４に替えて、押圧式のポンプが装着可能である。
【００１４】
本実施形態に係る注出口付きパウチ専用保持スタンド１０は、一本の線材を屈曲形成して製造される。線材としては、例えば、鋼製（好ましくは、曲げに強く耐食性のあるステンレス鋼）の線材を用いることができる。また、線材の表面に、耐食性を有する塗装やコーティングを施すこともできる。
【００１５】
この注出口付きパウチ専用保持スタンド１０は、底部１１、左右一対の支柱１２，１３、これら一対の支柱１２，１３の各上端から連続する頭部１４の各部位で構成されている。具体的には、一方の支柱１２の中間部に線材の一端ａが配置してあり、ここから鉛直下方に線材を延ばしたところで線材がほぼ９０゜前方へ向けて屈曲してある（図１のｂ部）。この屈曲部が底部１１に連続している。底部１１は、同一平面状でＺ状に屈曲して形成してある。続いて、底部１１の一側端（図１のｃ部）がほぼ９０゜鉛直上方へ向けて屈曲してあり、他方の支柱１３に連続している。他方の支柱１２，１３は、中間部で斜め後方に向けて僅かに屈曲してある（図１のｄ部）。さらに、他方の支柱１３の上端が内側にほぼ９０゜屈曲され（図１のｅ部）、この屈曲部から連続して頭部１４が形成されている。頭部１４には、同一平面状で円弧状の掛止凹部１５が湾曲形成されている。さらに頭部１４の側端部が斜め下方に向けて屈曲され（図１のｆ部）、一方の支柱１２が形成されている。線材の他端ｇは、支柱１２の中間部で一端と連結してある（図１のｈ部）。線材の各端部ａ，ｇを連結する手法としては、接着、溶接、カシメ、粘着テープの巻付けなど、種々の手法を用いることができる。また、線材の屈曲及び湾曲形成は、公知の線材プレス装置を用いて行うことができる。
【００１６】
なお、線材の両端は、支柱１２の中間部で連結しなくともよく、底部１１など他の部位に線材の両端を配置してもよい。
【００１７】
頭部１４に形成した掛止凹部１５は、容器１の引掛部５を掛止する構成となっている。すなわち、掛止凹部１５は前部が開口しており、この開口から容器１の引掛部５を差し込めば掛止状態が形成される（図３，図４参照）。逆に、容器１の引掛部５を前方へ引き出せば、掛止凹部１５から取り外すことができる。この掛止凹部１５は、頭部１４のほぼ中央に形成してある。
【００１８】
一対の支柱１２，１３は、図３，図４に示すように、容器１を保持した状態では、一方の支柱１２が容器１の背面側に配置されるとともに、他方の支柱１３が容器１の正面側に配置され、これら一対の支柱１２，１３の中間部で容器１を保持している。
支柱１２，１３の高さは、容器１の引掛部５から底縁までの高さ寸法よりも大きく設定してあり、容器１が浮いた状態で吊り下げ保持される構成となっている。
【００１９】
このような構成をした注出口付きパウチ専用保持スタンド１０は、容器１の引掛部５を掛止凹部１５へ掛止するだけで、袋状の容器１を吊した状態で保持することができる。これにより、従来のボトル式容器１と同様に縦配置しておくことができるので、浴室や洗面台まわりに設けられた既存の配置スペースにも適した姿勢で配置することができる。
【００２０】
また、容器１の注出口３に押圧式のポンプを装着すれば、従来のボトル式容器と同様に、片手でポンプを押圧操作するだけで内容物を取り出すことができる。このとき、容器１は注出口付きパウチ専用保持スタンド１０により支えられているので、ポンプに作用する押圧力は注出口付きパウチ専用保持スタンド１０に伝わり、よって容器１が潰れるおそれはない。
【００２１】
しかも、注出口付きパウチ専用保持スタンド１０は、一本の鋼製の線材を屈曲形成して構成されているので、ゴミ等の付着も少なく、仮にゴミ等が付着しても簡単に洗浄でき衛生的である。
【００２２】
〔第２実施形態〕
図面５乃至９は、本発明の第２実施形態に係る注出口付きパウチ専用保持スタンドを示しており、図５は斜視図、図６は右側面図、図７（ａ）はベースプレートの平面図、図７（ｂ）は同じく正面図、図８は使用状態を示す斜視図、図９は使用状態を示す右側面図である。
なお、本実施形態において、先に示した第１実施形態に係る注出口付きパウチ専用保持スタンドと同一部分又は相当する部分には同一符号を付し、その部分の詳細な説明は省略する。
【００２３】
本実施形態の注出口付きパウチ専用保持スタンドは、線材の両端を底部１１に配置するとともに、当該底部１１にある線材をベースプレート２０に嵌め込んで固定した構成となっている。ベースプレート２０は、樹脂成形品であり、線材の底部１１に併せてＺ状に形成されている。このベースプレート２０には凹部２１が形成してあり（図７参照）、この凹部２１に線材を嵌め込んで固定する。
【００２４】
本実施形態の構成によれば、底部にベースプレート２０が設けられているため、剛性が高まって安定し、しかもこのベースプレート２０に嵌め込むだけで、線材の両端処理を行うことができ製作が容易となる。
【００２５】
〔変形例〕
なお、本発明は上述した実施形態に限定されるものではない。例えば、本発明は、一本の鋼製の線材を屈曲及び湾曲形成してなり、土台の機能を有する底部と、当該底部の両側からそれぞれ上方へ延出する一対の支柱と、これら一対の支柱の各上端から連続する頭部とを含み、当該頭部の中央部分に容器の引掛部を掛止するための掛止凹部を形成した構成であればよく、底部、支柱、頭部、掛止凹部の形状は袋状の容器を吊り下げ保持するに適すれば如何なる形状に形成してもよい。
【図面の簡単な説明】
【００２６】
【図１】本発明の第１実施形態に係る注出口付きパウチ専用保持スタンドの斜視図である。
【図２】本発明の第１実施形態に係る注出口付きパウチ専用保持スタンドの右側面図である。
【図３】本発明の第１実施形態に係る注出口付きパウチ専用保持スタンドの使用状態を示す斜視図である。
【図４】本発明の第１実施形態に係る注出口付きパウチ専用保持スタンドの使用状態を示す右側面図である。
【図５】本発明の第２実施形態に係る注出口付きパウチ専用保持スタンドの斜視図である。
【図６】本発明の第２実施形態に係る注出口付きパウチ専用保持スタンドの右側面図である。
【図７】（ａ）はベースプレートの平面図、（ｂ）は同じく正面図である。
【図８】本発明の第２実施形態に係る注出口付きパウチ専用保持スタンドの使用状態を示す斜視図である。
【図９】本発明の第１実施形態に係る注出口付きパウチ専用保持スタンドの使用状態を示す右側面図である。
【符号の説明】
【００２７】
１：容器、２：容器本体（パウチ）、３：注出口、４：キャップ、５：引掛部、
１０：注出口付きパウチ専用保持スタンド、１１：底部、１２，１３：支柱、１４：頭部、１５：掛止凹部
２０：ベースプレート
【図１】
2008056335.tif 000003
【図２】
2008056335.tif 000004
【図３】
2008056335.tif 000005
【図４】
2008056335.tif 000006
【図５】
2008056335.tif 000007
【図６】
2008056335.tif 000008
【図７】
2008056335.tif 000009
【図８】
2008056335.tif 000010
【図９】
2008056335.tif 000011